【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
構造物を支持するための医療装置であって
ねじ組立体であって、前記ねじ組立体は、
基部と、
アームと、
前記アームを前記基部の長手方向軸と平行な第１の位置に配置可能とし、かつ前記基部の前記長手方向軸に垂直な第２の位置に配置可能とすることができる、前記基部を前記アームに連結するための相互連結手段と、
を含むねじ組立体を備え、
前記基部は、患者内の第１の構造物への取り付け用に構成されており、そして前記アームは、支持構造体への取り付け用に構成されており、そして
前記支持構造体は、
前記患者内の第２の構造物を支持するように構成された支持要素と、
前記支持要素に含まれる少なくとも１つの受け部であって、前記ねじ組立体のアームを受けるように構成されている、受け部と、
前記アームを前記支持要素に固定するように構成されている固定機構と、
を備える、医療装置。
【請求項２】
前記患者内の第１の構造物は骨である、請求項１に記載の医療装置。
【請求項３】
第２のねじ組立体をさらに備え、前記第１のねじ組立体および前記第２のねじ組立体は、前記支持構造体に取り付けられ、前記支持構造体は、２つの受け部を備える、請求項１に記載の医療装置。
【請求項４】
前記ねじ組立体が、チタン、ステンレス鋼、炭素繊維、形状記憶金属、生体適合性材料、再吸収性材料ならびにそれらの組み合わせまたは複合物からなる群から選択される材料から構成されている、請求項１に記載の医療装置。
【請求項５】
前記ねじ組立体がチタンから構成されている、請求項１に記載の医療装置。
【請求項６】
前記ねじ組立体が、形状記憶金属の１つの連続片から構成されている、請求項１に記載の医療装置。
【請求項７】
前記相互連結手段が、形状記憶金属から構成されている、請求項１に記載の医療装置。
【請求項８】
前記ねじ組立体が、形状記憶金属の１つの連続片から構成されており、そして
前記基部を前記アームに連結するための前記相互連結手段が、曲げによって配置される、
請求項１に記載の医療装置。
【請求項９】
前記ねじ組立体は、概ね０．１センチメートルから１００センチメートルの間の範囲の全長を有する、請求項１に記載の医療装置。
【請求項１０】
前記ねじ組立体は、概ね５０ミリメートルから６００ミリメートルの間の範囲の全長を有する、請求項１に記載の医療装置。
【請求項１１】
前記ねじ組立体は、脊柱後部の皮下支持用の寸法の全長を有する、請求項１に記載の医療装置。
【請求項１２】
前記アームは、遠位端および近位端を有する本体と、前記近位端に位置する基部ヨークと、前記遠位端に位置するコネクタとから構成される、請求項１に記載の医療装置。
【請求項１３】
前記アームの前記本体は棒状である、請求項１２に記載の医療装置。
【請求項１４】
前記基部は、前記アームに連結される基部ヘッドと固定具とから構成される、請求項１に記載の医療装置。
【請求項１５】
前記固定具は、ねじ、ステープル、フックおよび釘からなる群から選択される、請求項１４に記載の医療装置。
【請求項１６】
前記固定具が、骨固定用に構成されたねじである、請求項１５に記載の医療装置。
【請求項１７】
前記固定具が、椎骨の茎内への挿入用に構成されたねじである、請求項１６に記載の医療装置。
【請求項１８】
前記相互連結手段は、圧入クロスピンを含む、請求項１に記載の医療装置。
【請求項１９】
前記相互連結手段は、開放鞍型ヘッドと連結横材とから構成される、請求項１に記載の医療装置。
【請求項２０】
前記相互連結手段が、止めねじから構成され、
前記止めねじが、前記アームと前記基部とを単一ユニットとして一緒に維持し、そして
前記止めねじが、前記相互連結手段内で締められて、前記基部の長手方向軸に対して実質的に垂直な位置での前記アームの固定を行い得る、
請求項１８または１９に記載の医療装置。
【請求項２１】
前記相互連結手段がカムから構成され、
前記カムが、前記アームと前記基部とを単一ユニットとして一緒に位置し、そして
前記カムが、前記相互連結手段内で回されて、前記基部の長手方向軸に対して実質的に垂直な位置での前記アームの固定を行い得る、
請求項１８または１９に記載の医療装置。
【請求項２２】
前記支持構造体が、前記支持要素に接続された固定具をさらに備え、前記固定具が、前記患者内に前記第２の構造物への取り付けのために構成されている、請求項１に記載の医療装置。
【請求項２３】
医療装置の支持構造体であって、
２つの受け部であって、前記受け部の各々は、
前記医療装置への取り付け用に構成されている開放端を有する受け部、および
固定手段であって、前記支持構造体が患者に挿入された後に、前記固定手段を使用して、前記支持構造体が前記医療装置を受けて前記医療装置を前記支持構造体に固定する用に構成されている、固定手段、
を備える、受け部と、
ねじ切りしたヒンジ係合部材を有するヒンジ式爪と、
前記医療装置の支持構造体の上面に配置されたナットと、
を備える、医療装置の支持構造体。
【請求項２４】
前記開放端を有する受け部が、鞍型の受け部として構成されている、請求項２３に記載の医療装置の支持構造体。
【請求項２５】
前記固定手段が、止めねじおよびカムからなる群より選択される、請求項２３に記載の医療装置の支持構造体。
【請求項２６】
前記固定手段は、前記医療装置の支持構造体の上面からのアクセスのために、前記上面の平面内に配向する、請求項２３に記載の医療装置の支持構造体。
【請求項２７】
前記支持構造体が、チタン、ステンレス鋼、炭素繊維、形状記憶金属、生体適合性材料、再吸収性材料ならびにそれらの組み合わせまたは複合物からなる群から選択される材料から構成されている、請求項２３に記載の医療装置の支持構造体。
【請求項２８】
前記医療装置の支持構造体がチタンから構成されている、請求項２３に記載の医療装置の支持構造体。
【請求項２９】
前記ヒンジ式爪が、中央のヒンジ式爪であり、前記ナットを前記ねじ切りしたヒンジ係合部材上に締め付けることによって、前記ヒンジを中心とした枢動を引き起こし、前記爪の閉鎖を行う、請求項２３に記載の医療装置の支持構造体。
【請求項３０】
２つのねじ組立体をさらに備え、各ねじ組立体が、
基部と、
アームと、
前記アームを前記基部の長手方向軸と平行な第１の位置に配置可能とし、かつ前記基部の前記長手方向軸に垂直な第２の位置に配置可能とすることができる、前記基部を前記アームに連結するための相互連結手段と、
を備え、
前記基部は、患者内の第１の構造物への取り付け用に構成されており、そして前記アームは、前記支持構造体への取り付け用に構成されている、
請求項２３に記載の医療装置の支持構造体。
【請求項３１】
前記患者内の第１の構造物は骨である、請求項３０に記載の医療装置の支持構造体。
【請求項３２】
前記支持構造体が、
固定具と、
前記固定具用の固定手段と、
を備え、前記固定具が、前記患者内の第２の構造物への取り付け用に構成されている、請求項３０に記載の医療装置の支持構造体。
【請求項３３】
前記患者内の第２の構造物は骨である、請求項３２に記載の医療装置の支持構造体。
【請求項３４】
前記固定手段が、止めねじおよびカムからなる群より選択される、請求項３２に記載の医療装置の支持構造体。
【請求項３５】
前記固定具は、ねじ、ステープル、フックおよび釘からなる群から選択される、請求項３２に記載の医療装置の支持構造体。
【請求項３６】
骨質構造物を支持するためのシステムであって、前記システムは、
１）受け部を有する支持体と、基部と、相互連結手段と、固定手段とを備える１つのねじ組立体であって、骨に送達されるように構成されており、前記支持体が、前記基部の長手方向軸に実質的に垂直にを展開されるように構成されている、ねじ組立体と、
２）基部および固定手段を有する１つまたはそれ以上の固定具組立体であって、前記支持体に通して骨内に植え込まれるように構成されている、固定具組立体と、
３）前記固定具組立体のうちの１つまたはそれ以上の内部に前記基部を固定するための手段と、
４）前記固定具組立体のうちの１つまたはそれ以上を前記支持体の受け部内に固定するための手段と、
５）前記ねじ組立体の前記固定手段を係合させて、前記基部に対する前記支持体の位置を固定するための手段と、
を含むシステム。
【請求項３７】
脊柱を支持するためのシステムであって、前記システムは、
１）アーム、基部および相互連結手段を有する２つのねじ組立体であって、骨に送達されるように構成されている、ねじ組立体と、
２）前記ねじ組立体の前記アーム用の固定手段を有する２つの受け部を有する支持構造体であって、骨の近傍に送達されるように構成されている支持構造体と、
３）前記ねじ組立体の前記アームを展開するための手段と、
４）前記受け部の前記固定手段を係合させて、前記ねじ組立体の前記アームを前記支持構造体に固定するための手段と、
を含むシステム。
【請求項３８】
脊柱を支持するためのシステムであって、前記システムは、
１）２つまたはそれ以上のアーム、１つの基部および１つの相互連結手段を有する１つのねじ組立体であって、骨に送達されるように構成されている、ねじ組立体と、
２）前記ねじ組立体の前記アーム用の開口部および固定手段を有する１つまたはそれ以上の支持構造体であって、傍らに位置する骨に送達されるように構成されている、支持構造体と、
３）前記ねじ組立体の前記２つまたはそれ以上のアームを、前記傍らに位置する支持構造体に向けて展開するための手段と、
４）前記ねじ組立体の前記２つまたはそれ以上のアームを、所望の位置に固定するための手段と、
５）前記支持構造体開口部の前記固定手段を係合させるための手段と、
を含むシステム。